(57)【要約】本発明は、絶縁プレート（２）と前記プレートの上面及び底面に固定された２列のＬＥＤ（３，４）とを備える照明部材に関する。ＬＥＤは直列又は並列で連結されており、前記プレートの両端には電気接触子（５，６）が設けられており、これは電気接触子は、ＬＥＤの枝路に連結されており、電気供給端末（９，１０）に固定されるようになっている。
2004523872.tif 000002
【特許請求の範囲】
【請求項１】
直列および/または並列に連結されたＬＥＤが設置されている絶縁プレートを備え、前記プレートは、ＬＥＤの枝路に連結されており、電気供給端末に連結されるように設計されている電気接触子を各端に有していることを特徴とする、照明部材。
【請求項２】
請求項２に記載の照明部材であって、絶縁プレートはプリント回路ボードであり、ＬＥＤはプレートの伝導性供給ライン上にはんだ付けされて、直列で及び／又は並列で連結を形成しており、伝導性ラインはプレートの各端で電気接触子に固着されていることを特徴とする照明部材。
【請求項３】
請求項１に記載の照明部材であって、ＬＥＤは絶縁プレートの上方及び下方に配置されていることを特徴とする照明部材。
【請求項４】
請求項１に記載の照明部材であって、電機接触子はフェストン球接触子であることを特徴とする照明部材。
【請求項５】
請求項２に記載の照明部材であって、電機接触子はリジッドループであることを特徴とする照明部材。
【請求項６】
請求項１に記載の照明部材であって、プレートは、直列で連結され２４ボルトで動力が供給される６個のＬＥＤを有することを特徴とする照明部材。
【請求項７】
請求項３に記載の照明部材であって、プレートは、プレートの上方に位置された６個のＬＥＤと、プレートの下方に配置された６個のＬＥＤとを有し、各列は２４ボルトで動力が供給されることを特徴とする照明部材。
【請求項８】
請求項６又は７に記載の部材であって、ＬＥＤは少なくとも６０°の光線角で光線を放射するＬＥＤであることを特徴とする部材。
【請求項９】
請求項８に記載の部材であって、ＬＥＤはＮＩＣＨＩＡ  ＳＭＤ  １２０°／６０°、０．６６ｃｄＬＥＤであることを特徴とする部材。
【請求項１０】
請求項６に記載の部材であって、ＬＥＤは２０°の光線角を有する光線を形成する直接照明ＬＥＤであることを特徴とする部材。
【請求項１１】
請求項１０に記載の部材であって、ＬＥＤはＮＩＣＨＩＡ  ５ｍｍ直径５．６ｃｄ／２０°ＬＥＤであることを特徴とする部材。
【請求項１２】
請求項７に記載の部材であって、プレートの上方に配置されるＬＥＤは小さい光線角の光線を有するＬＥＤであり、プレートの下方に配置されるＬＥＤは大きい光線角を有するＬＥＤであることを特徴とする部材。
【請求項１３】
請求項１２に記載の部材であって、プレートの上方に配置されるＬＥＤはＮＩＣＨＩＡ  ５ｍｍ直径５．６ｃｄ／２０°ＬＥＤであり、プレートの下に配置されるＬＥＤはＮＩＣＨＩＡ  ＳＭＤ  １２０°／６０°、０．６６ｃｄＬＥＤであることを特徴とする部材。
【請求項１４】
請求項１に記載の照明部材であって、プレートは三角形又は四角形断面を有し、各面にＬＥＤの列を有することを特徴とする照明部材。
【請求項１５】
請求項１に記載の照明部材であって、ＬＥＤは高白色成分を有する光を放射することを特徴とする、照明部材。
【請求項１６】
照明取り付け具又は照明ストリップであって、長くて細いフレームと、電気供給トラックと、パラボラ反射器とを有し、両者は照明取り付け具の底部に配置されており、トラックには、直列および/または並列に連結されたＬＥＤが設置されている絶縁プレートを備え、プレートは、照明取り付け具電気供給端末に連結されるように設計されている電気接触子を各端に有している照明部材が備え付けられており、照明部材はパラボラ反射器の表面の中央に配置されていることを特徴とする照明取り付け具又は照明ストリップ。
【請求項１７】
請求項１６に記載の照明取り付け具であって、照明部材は、プレートの上方に配置されている直接照明の幅の狭い光線のＬＥＤを有し、間接照明の幅の広い光線のＬＥＤ、後者は反射器を構成するパラボラの中央に位置されていることを特徴とする照明取り付け具。
【請求項１８】
請求項１６又は１７に記載の照明取り付け具であって、電気供給トラックは、トラックに沿って互いに等間隔をあけて配置される供給端末の組のセットを有し、照明部材は各端末の組の間に配置されていることを特徴とする照明取り付け具。
【請求項１９】
請求項１８に記載の照明取り付け具であって、各照明部材は、プレートの上方に位置された２０°の角を有する６個の直接照明のＬＥＤと、プレートの下方に配置された６０°／１２０°の大きな角を有する６個のＬＥＤとを有することを特徴とする照明取り付け具。
【発明の詳細な説明】
【技術分野】
【０００１】
本発明の目的は、照明部材である。さらなる発明の目的は、そのような部材が備え付けられる照明取り付け具である。
【背景技術】
【０００２】
照明部材という用語は、全ての白熱光を発する電球、ネオンチューブ、ナトリウム電球、キセノン電球などを包含する。照明のための白色光は、通常、赤、黄色、及び青との境をなす少しの色成分を有していても良い。しかしながら、照明においては、この種の部材が重要な白色光成分を提供することが核心である。
【０００３】
約２０年前、ＬＥＤとして知られる新しい光源が市場に現われた。これらのＬＥＤは、通常あまり明るくなく、道路、壁や道標の照明に使用されている。この照明及び信号機能は、通常、カラーＬＥＤ、すなわち、赤、青、緑、黄色などのＬＥＤによって達成される。この照明は、道筋や障害物を示すために成され、低光度を有するため、眩惑を防ぐ。全種類の電球と異なり、照明に利用されるＬＥＤは、使用１００，０００時間単位での、極めて長い寿命を有するという大きな利点を表す。この寿命は、もはや切れたランプや電球を交換あるいは取り替えることを必要としないので、重要な利点である。
【０００４】
【特許文献１】
欧州特許第６９２３９８号
【特許文献２】
国際特許出願ＰＣＴ／ＣＨ９７／００３１７
【特許文献３】
欧州特許第３７５６２３号
【特許文献４】
欧州特許第５１６５７８号
【特許文献５】
米国特許第５６５５８３０号
【特許文献６】
米国特許第５７２６５３５号
【特許文献７】
国際特許出願公開第０１０７８２８号公報
【発明の開示】
【０００５】
この発明の目的は、照明部材、すなわちこの長い作動時間とともに白色光を放射する部材を提案することであり、この照明部材は、照明取り付け具において、照明取り付け具に沿ってその内部に均等に配置された１組又は複数組の電気供給端末が備え付けられて好適に使用することができる。これらの照明ストリップ取り付け具は、一般的に長距離にわたる表面照明を設けるために使用され、それぞれ長さ６ｍまでの複数のユニットから構成されて、次々に設置されると、例えば、天井や壁などを照らせる長い長さとすることができる。この発明の目的である照明部材を収容するのに特に適する照明ストリップは、欧州特許第６９２３９８号又はＰＣＴ／ＣＨ９７／００３１７といった、この特許の所有者でもあるアガベコフグループに帰属する特許及びＰＣＴ特許に説明されている。上述の照明ストリップへの電気の供給は、電気供給トラックを通して得られ、これもまた欧州特許第３７５６２３号及び第５１６５７８号によって保護されており、アガベコフグループを権利者としている。これらの電気供給トラックは、照明ストリップの内側にすべり込まされており、トラックに沿って等距離で次々に配置される供給端末の組を有する。この発明の目的である照明部材は、トラックに沿って、供給端末組同士の間に好適に配置される。一度、ストリップが導入されて本発明に係る照明部材が備え付けられると、非常に長い寿命を有しさらなるメンテナンスを必要としないことが、すぐに明らかになるであろう。
【０００６】
本発明にかかる照明部材は、絶縁プレートを有し、これに直列及び／又は並列に連結されたＬＥＤが固定されており、このプレートは各端に電気接触子を有し、これはＬＥＤの枝路（branch）に連結され、また電気供給端末に連結されるように設計されることを特徴とする。
【０００７】
本発明に係る照明部材は、有利には、プリント回路ボードの形態の絶縁プレートを有し、プレートの伝導性供給ライン上に、ＬＥＤが直列及び／又は並列の枝路となるようにはんだ付けされており、伝導性ラインは、プレートの各端部で電気接触子に取り付けられている。
【０００８】
好ましい実施形態では、ＬＥＤは絶縁プレートの上方及び下方に配列される。
【０００９】
電気接触子は、フェストン球接触子(festoon bulb contact)の形状又はリジッドループの形状にすることができる。
【００１０】
好ましい実施形態では、プレートは、直列で連結されて２４ボルトで５０ｍＡの電流によって動力が供給される６個のＬＥＤを有する。
【００１１】
照明部材は、好適には、プレートの上方に配置された６個のＬＥＤと、その下方に配置された６個のＬＥＤとを有し、６個のＬＥＤよりなる各列は２４ボルトでの電流によって動力が供給されるようになっている。
【００１２】
本発明に係る照明部材に連結される全てのＬＥＤは高白色成分を有する光を放射する。
【００１３】
本発明に係る照明部材は、好適には、照明取り付け具、又は、ストリップに沿って等距離で次々に配置された電気供給端末の組が備え付けられた照明ストリップにおいて使用される。本発明の目的である照明取り付け具は、長くて薄いフレームと、ともに照明取り付け具の底部に配置される電気供給トラックおよびパラボラ状の反射器とを有し、トラックは、直列及び／又は並列で連結されたＬＥＤが固定される絶縁プレートを備える照明部材が備え付けられ、プレートは、各端に照明取り付け具電気供給端末に連結されるように設計された電気接触子を有し、照明部材はパラボラ反射器の表面の中央に配置されることを特徴とする。
【００１４】
図面は、一例として、本発明の照明部材の実施形態および変形例を、この部材を使用するトラックの概観とともに示す。
【００１５】
図１に示す照明部材の実施形態は、プリント回路プレート２と、このプレートの上方及び下方にそれぞれ配置された６個のＬＥＤによる２列３，４とを備える。これらのＬＥＤ３，４は、伝導性部分に直列で連結されており、図示しないが、プレート上で、回路接触子５，６に各端部で連結されており、これはフェストン球（festoon bulb）で普通に使用される接触と同一である。接触子５及び６（図２及び３も参照のこと）は、それぞれ穴７及び８に挿入されており、電気供給端末９，１０に作成され、絶縁コンダクタ１１，１２に接続されており、欧州特許第３７５１２３号または第５１６５７８号で説明される電気供給トラックと同じタイプの電気供給トラック１３を形成している。これらのトラックは、一連の照明部材に動力を供給することができ、照明ストリップ１１５の溝１４内に挿入できるように設計されており、少なくとも１つの溝１８，１９は、ウイング１６，１７の上側縁に配置されている。この溝は、図示しないが、反射器及び／又は保護グラスを収容するために設計されている。図２及び３に示す照明ストリップ又は照明取り付け具は、やはり本出願人の名における欧州特許第５６１３９８号またはＰＣＴ９７／００３１３において説明されるストリップと類似するストリップである。
【００１６】
図１〜３における実施形態で示すＬＥＤは、ＮＩＣＨＩＡ  ＳＭＤ  １２0°／６0°０．６６ｃｄＬＥＤであり、１個当たり４ボルトで動力が供給されるように設計されている。図１〜３における部材１は、従って２４ボルト供給され、これは図２及び３に示す種類の照明ストリップにおいて通常使用される電圧に対応する。使用されるダイオードが与えられると、約５０ｍＡの電流が部材を通る。ＬＥＤは、上述の仕様では、白色光を放射し、照明部材が６個のＬＥＤの上列と６個のＬＥＤの下列とを有するときは、照明ストリップにパラボラ反射器が配置され、ストリップによって供給される単位長さあたりの光度は、完全に十分なものである。
【００１７】
図４に示す変形例では、照明部材２１は、図１における部材と同様に、プリント回路プレート２を有し、その上に２列の６個のＬＥＤが設置されており、２２と４は、それぞれ、ＬＥＤ２２及び４はプレート２の上方及び下方に配置されている。ＬＥＤ４は、図１に関して説明されたものと同タイプであり、プレート２の伝導性供給ラインに直列に連結されたＮＩＣＨＩＡ  ＳＭＤ  １２0°／６0°０．６６ｃｄＬＥＤと、図示しないが、ＮＩＣＨＩＡ５ｍｍ直径５．６ｃｄ／２０°ＬＥＤである。図１〜３における実施形態のように、これらのＬＥＤは、それぞれの端部でループの形状の接触子２３，２４に連結されているプレートの伝導性部分に連結されている。ループの形状の接触子２３，２４は、キャリア２５，２６にクリップ留めされており、キャリア２５，２６自体は摩擦によって電気供給端末９，１０にフレーム２７，２８を用いて位置されている。キャリア２５，２６は、ループ及びそのフレーム２８を収容するために設計されているクリップの形状の上部とともに、欧州特許第５１６５７８号に詳細に説明されており、また電気供給端末９，１０は、電気供給トラックを形成する絶縁コンダクタ１１，１２に連結されている図１〜３における実施形態と同一である。供給トラック１３もまた欧州特許第５１６５７８号に説明されており、トラック１３に沿って配置される一連の照明部材に動力を供給するように設計されている。キャリア２６はそれを支持する電気供給端末９，１０のように、図１〜３における実施形態での照明ストリップと同様にして、照明ストリップ１５のウイング１６及び１７の溝１８，１９に滑り込ませたパラボラ反射器２９を突き通っている。絶縁トラック１３は、照明ストリップのウイング１６及び１７の溝１８及び１９内に横向きに保持されているパラボラ反射器２９とともに、照明ストリップの溝１４に挿入されている。照明ストリップ１５は、図１〜３における実施形態の照明ストリップのように、欧州特許第６５１３９８号またはＰＣＴ９７／００３１３に説明されている照明ストリップに非常に類似している。最後に、電気供給端末９及び１０に設置されているキャリア２５及び２６は保護絶縁鎧装３０及び３１によって囲われており、この保護絶縁鎧装もパラボラ反射器２９を突き通っている。図４及び６の電気供給トラックは、ウイング１６及び１７の上部に、溝３２，３３を有し、フィルタまたは保護ガラスを収容するように設計されている。
【００１８】
図１〜３の実施形態として、照明部材１及び２１は反射器のパラボラ表面の中央に配置されるように位置している。これは、すなわち最大反射割合および大きな反射光線を提供する。
【００１９】
図７の変形例では、横断面で示される照明取り付け具又は照明ストリップは、２つの横向きウイング３６および３７を有する突出セクション３５から構成されている。透明なプラスチックカバー、３８は、横向きウイング３６及び３７の先端に位置しており、位置決めスライダ３９，４０によってウイングの上縁にかみ合わされている。カバーは、図示しないが、セクションの自由端に位置し、詳細には説明しないが、防水方式で照明取り付け具を囲い込むように設計されている。この照明取り付け具は、第９７／００３１３号として出版されたＰＣＴ特許の対象であり、従来の照明部材、特にフェストンランプやキセノンランプとともに、現在、使用されている。図７に示す変形例では、照明取り付け具には、図４の部材と同一の照明部材２１が備え付けられている。これらの部材２１はプレートの上方に狭い２０°の光線を有する６個の直接照明ＬＥＤを有する。プレートの下方には、部材２１は、それぞれ６０°および１２０°のより広い光線を有する６個のＬＥＤ４を有する。部材は、図面に示されるように、照明取り付け具３５に直交座標に沿って位置されて、ＬＥＤはパラボラ反射器４２の中央４１に配置されるようになっている。したがって、ＬＥＤによって放射される幅広の光線は、反射器４２によって垂直成分に沿って上方に反射され、放射及び反射された全ての光はＬＥＤ２２によって放射された直接光線に付加される。照明取り付け３５に配置された部材２１によって得られる結果は、全く予期されないものであり、照明取り付け具によって提供される光は表面、例えば、壁や天井などを照らすのに十分である。この事実は、ＬＥＤの光度は従来の電球と比較して低いので、明白ではなかった。
【００２０】
測定は図７において横断面で示すような照明取り付け具「ネプチューン(Neptune)」を用いて行った。この照明取り付け具は、長さ０．８７５ｍ、幅０．０７０ｍ、高さ０．０４０ｍである。水平照明表面は、長さ０．８３５ｍと幅０．０３５ｍであった。この照明取り付け具は、起電力１８ワットの２×６個のＬＥＤを有し、合計のフラックスが約１０００ルーメンである１５個の部材を含んだ。
【００２１】
すでに述べたように、部材プレートの上側部分に配置された６個のＬＥＤは、ＮＩＣＨＩＡ  ５ｍｍ直径５．６ｃｄ／２０°ＬＥＤであり、部材プレートの下側部分に配置された６個のＬＥＤは、ＮＩＣＨＩＡ  ＳＭＤ  １２０°／６０°  ０．６６ｃｄＬＥＤである。各部材は、２４Ｖ  ＤＣで動力が供給される。
【００２２】
図８は、照明取り付け具の軸Ｃ９０／Ｃ２７０に沿う方向及びこの軸に垂直な方向Ｃ０／Ｃ１８０でのポーラーダイアグラムにおける光強度Ｉの分布を示すグラフを示す。
【００２３】
図８は、照明取り付け具の軸Ｃ９０／Ｃ２７０に沿う方向及びこの軸に垂直な方向Ｃ０／Ｃ１８０でのポーラーダイアグラムにおける光強度Ｉの分布を示すグラフを示す。
【００２４】
すでに述べたように、上述の照明部材によって得られる結果は、非常によく、照明取り付け具はメンテナンスにおいて非常に長い寿命という利点を提供する。ＰＣＴＣＨ９７  ００３１７で説明されている照明取り付け具や照明ストリップにおいて、大きな領域（壁、天井、床）を、幅の狭い集中した光線で光の損失なく照明するために好適に使用することができる。
【００２５】
図面に示すように照明部材の実施形態及び変形例は、照明ストリップにおいて好適に使用される。１ｍの照明ストリップ２１は、従って、長くて比較的薄い配列を提供するために一定の大きさに作られる。しかしながら、本発明は図面で説明された部材に限定されず、照明部材は、有用に変更されても良い。反射器が使用される場合、プレート２にはＬＥＤが２側部で好適に備え付けられる。明らかに、湾曲したプレート又は三角形や四角形の断面を有するプレートを使用することができる。この場合、３又は４列のＬＥＤを得ることができる。さらに、１個当たり約４ボルト又は使用されるＬＥＤの仕様に依存する他の電圧によって起動されるより多数のＬＥＤを有する列を備える、より長いプレートを構想することができる。すでに述べたように、上述の照明部材は、非常に長い寿命という利点を有する。これらの事実において、近づきにくい場所に位置する非常に長い電気供給トラック又は堤において使用されると、その長寿命に基づく非常に重要な利点を供与する。さらに、これは従来の電球よりも低動力しか使用しない。
【図面の簡単な説明】
【００２６】
【図１】図１は、照明部材の第１の実施形態の側面図である。
【図２】図２は図１の照明部材が照明ストリップの内部に滑り込ませた電気供給トラック上に配置されている正面図である。
【図３】図３は、図２の照明ストリップの２つの照明部材を有する部分の部分断面図である。
【図４】図４は、図１の電気供給トラックの実施形態の変形例で、照明部材を含むトラックの側面図である。
【図５】図５は、反射器が備え付けられた照明ストリップに設置された図４の照明部材の正面図である。
【図６】図６は、図４に示す部材が備え付けられた図５の照明ストリップの部分断面図である。
【図７】図７は、図４の一連の部材が備え付けられたトラックを保持する照明ストリップの変形例の複製（copy）であり、そして
【図８】図８は、図７に示す照明ストリップによって得られる光度分布のポーラーダイアグラム（polar diagram）としての表示である。
【国際公開パンフレット】
2004523872.tif 000003
2004523872.tif 000004
2004523872.tif 000005
2004523872.tif 000006
2004523872.tif 000007
2004523872.tif 000008
2004523872.tif 000009
2004523872.tif 000010
2004523872.tif 000011
2004523872.tif 000012
2004523872.tif 000013
2004523872.tif 000014
2004523872.tif 000015
2004523872.tif 000016
2004523872.tif 000017
2004523872.tif 000018
2004523872.tif 000019
2004523872.tif 000020
【国際調査報告】
2004523872.tif 000021
2004523872.tif 000022
2004523872.tif 000023
2004523872.tif 000024
2004523872.tif 000025
2004523872.tif 000026